(57)【要約】【課題】電気配線の構造を簡単にしたパチンコ機を提供すること、または貸球操作が容易なパチンコ機とする。【解決手段】遊技領域を覆う前扉３と前扉３の下方位置に球受皿４１を設けた受皿扉４とを前面枠２に開閉可能に取付ける。前扉３の左側には、前面枠２に直接固定された電飾２３，２５または貸球操作部５０を配置したパネル２４、２６を設ける。これにより、パネル２４，２６を前面枠２に直接固定しているために、電飾２３，２５または貸球操作部５０に要する配線を、開閉する前扉３や受皿扉４に設けるよりも容易な構成にすることができる。【選択図】  図３
2004313567.tif 000002
【特許請求の範囲】
【請求項１】
遊技領域を覆う前扉と前記前扉の下方位置に球受皿を設けた受皿扉とが、前面枠に開閉可能に取付けられたパチンコ機において、
前記前扉の左側には、前記前面枠に直接固定された電気機器を配置したパネルが設けられていることを特徴とするパチンコ機。
【請求項２】
パネルには、電気機器としての電飾を配置されていることを特徴とする請求項１記載のパチンコ機。
【請求項３】
前面枠の中央左側に配置された左側パネルには、電気機器としての球貸操作部が設けられていることを特徴とする請求項１記載のパチンコ機。
【発明の詳細な説明】
【０００１】
【発明の属する技術分野】
この発明は、パチンコ機に関する。
【０００２】
【従来の技術】
図６に示すように、パチンコ機は、方形の外枠１ｍに囲まれ、この外枠１ｍの前面にほぼ外枠１ｍの前面を覆う前面枠２ｍが外枠ヒンジ１０ｍにより開閉可能に取付けられている。この前面枠２ｍにパチンコ機の主要部品が取付けられている遊技盤２０ｍが固定されている。遊技盤２０ｍには、上部に遊技領域２２ｍが形成され、この遊技領域２２ｍの下方に球発射装置やこれに連続する発射レールなどが設けられている。さらにこれらの下方に下皿３１ｍ、発射ハンドル３２ｍ、灰皿３３ｍなどがそれぞれ設けられている。
【０００３】
ここで、前面枠２ｍの左側に設けたヒンジにより前扉３ｍが開閉可能に取付けられ、また、その下方に受皿扉４ｍが前面枠２ｍの左側枠にヒンジにより開閉可能に取付けられている。この二枚の前扉３ｍと受皿扉４ｍは、前扉３ｍの下縁に沿って受皿扉４ｍの上縁に重なる構成とされている。係る従来の多くのパチンコ機では、前扉３ｍの下端縁が横方向に直線的に形成されていて、この方形の前扉３ｍの範囲内で前面枠に種々の装飾を施して、遊技者の趣味感を満足させている。
【０００４】
特に、最近では、特許文献１に開示されているように、前扉３ｍの外周に装飾板を設けて意匠感を増したパチンコ機も現れている。
また、パチンコ機は遊技島に薄幅な貸球機に隣接して設置され、いわゆるＣＲ機と称せられるパチンコ機では、磁気カードを貸球機に差込んだ状態で、受皿扉に設けられている球貸操作部を操作すると、貸球が供給されるようにされている。
【０００５】
そして、球貸操作部は、特許文献２にも開示されているように、通常球受皿の左側の前面や上面に配置されている。また、特許文献３には、球受皿のさらに左側に配設して、前面に膨出して設けられている球受皿の前面または上面位置を避けた位置に設けて、遊技者が誤って操作をすることがないようにした発明が開示されている。
【０００６】
【特許文献１】特開平１１−２２１３２３号公報
【特許文献２】特開２０００−１４０３９０号公報
【特許文献３】特開平９−２６６９８４号公報
【０００７】
【発明が解決しようとする課題】
従来のパチンコ機では、パチンコ機の上半部を占める前扉３ｍに装飾が施されていないために新しい意匠感を与えることができなかった。また、特開平１１−２２１３２３号公報に開示されているように、前扉３ｍの外周に装飾板を設けたパチンコ機では、この装飾板に電飾を施すためには、頻繁に開閉される前扉３ｍに電気配線や信号線の配線などを要し、これらの配線構造が複雑になったり、前扉３ｍの開閉の際にじゃまになったりするおそれがある。
【０００８】
また、ＣＲ機と呼ばれるパチンコ機では、遊技者が貸球の供給を受けるために操作する貸球操作部（図示しない。）を開閉する受皿扉に設けているために、必要な配線を受皿扉に設ける必要があった。特に、貸球操作部は、特許文献２または特許文献３にも示されているように、受皿扉４ｍの前面左側に大きな球受皿を設ける必要から、スペース的にこれを避けた位置、すなわち、右側に設けて、右指で貸球操作をする構成とされている。このため、右手によりハンドル操作して遊戯中の遊技者が、貸球操作をするためには、一旦ハンドルから手を離して、遊技を中断した上で、貸球操作をする必要があった。
【０００９】
そこで、この発明では、第一に意匠感に優れるとともに電気配線の構造を簡単にしたパチンコ機を提供することを目的とし、第二に、貸球操作が容易なパチンコ機とすることを目的としている。
【００１０】
【課題を解決するための手段】
請求項１の発明では、遊技領域を覆う前扉と前扉の下方位置に球受皿を設けた受皿扉とが、前面枠に開閉可能に取付けられたパチンコ機において、前扉の左側には、前面枠に直接固定された電気機器を配置したパネルが設けられている。
この構成により、パネルが前面枠に直接固定されているために、パネルに電気機器を配設するに要する配線を、開閉する前扉や受皿扉に設けるよりも容易にすることができる。
【００１１】
請求項２の発明では、パネルには、電気機器としての電飾を配置されている。これにより、前扉の外縁に電飾からなる装飾を施すことができて、意匠感に優れたパチンコ機とすることができる。
【００１２】
請求項３の発明では、前面枠の中央左側に配置された左側パネルには、電気機器としての球貸操作部が設けられている。
これにより、遊技者の左前部の位置に貸球操作部を設けることによって、遊技者が貸球操作を左指により操作可能な操作性に優れたパチンコ機とすることができる。
【００１３】
【発明の実施の形態】
以下、この発明の実施例を、図面を参照して詳細に説明する。
図１に示すように、パチンコ機は遊技島１００に固定された球貸機１０１の右側に接して設置される。そして、後述するように、球貸機１０１のカード差入れ口にプリペードカードを差し込んだ状態で、パチンコ機に設けられた球貸操作部５０の貸球ボタンを操作することによって、貸球が供給される。
【００１４】
図２に示すように、パチンコ機は遊技島１００に取付けられる外枠１の上下二カ所に設けた外枠ヒンジ１０、１０により前面枠２が開閉可能に取付けられている。前面枠２は、外枠１の下部１１を露出し、左右と上部が外枠１の外形に倣った同形とされて外枠１の前面を覆っている。
【００１５】
この前面枠２の内側に遊技盤２０が固定されている。遊技盤２０は、その裏面にパチンコ機の主要部品が取付けられ、また前面に略円形に固定された誘導レール２１により区画される遊技領域２２が設けられるもので、その上部は前面枠２に嵌合するように略方形に形成されている。
【００１６】
遊技盤２０の下縁により略直線状に区画された下方には、遊技球発射槌２９などが取付けられている矩形の腰板パネル３０が前面枠２に固定されている。この腰板パネル３０の左側には、遊技盤２０の裏面に設けられた賞球排出口４４が開口され、貸球機１０１からの貸球がこの賞球排出口４４を流下して球受皿４１（図１参照）に供給される。
【００１７】
腰板パネル３０の下方には、下皿３４が中央に、発射ハンドル３２が右側に、さらに灰皿３３が左側にそれぞれ設けられている。
【００１８】
また、前面枠２の上下の中間の左側には、請求項にいうパネルの内、左側パネル２４が設けられている。この左側パネル２４は、図４に示すように、前面枠２に直接固定されている。また、左右対称位置の右側にも、ほぼ左側パネル２４と対称形状に、請求項にいうパネルの内、右側パネル２６が前面枠２に直接固定されている。この左側パネル２４と右側パネル２６の両パネルをパチンコ機の両側に設けたことによって、左右にバランスのある意匠感を遊技者に与えることができる。
【００１９】
左側パネル２４と右側パネル２６には、電気機器としての装飾電球２３、２５が配設されている。これらの装飾電球２３、２５の点滅を制御する信号線２８や電源コードが遊技盤２０の背面で接続されている（図５参照）。このように、左側パネル２４を前面枠２に直接取付けることによって、従来の開閉する前扉に装飾電球２３、２５を配設したパチンコ機に比較して、電気配線や信号線の配線構造が簡単なパチンコ機とされている。
【００２０】
また、これらのパネルのうち左側パネル２４には、装飾電球２３とともに、球貸操作部５０が設けられている。この貸球操作部５０は、パチンコ機に隣接された貸球機１０１から貸球を供給操作する貸球ボタン５１、貸球機に挿入されているプリペードカードの返却を操作する返却ボタン５２およびプリペードカードの残金を表示する液晶表示部５３などが設けられている
【００２１】
このように、従来受皿扉４に設けていた貸球操作部５０を、受皿扉４より上方位置である左側パネル２４に設けたことによって、遊技者の目の位置に近くなってボタンの確認を容易にでき、誤操作が少なくなる。また、左前部の位置に設けることによって、遊技者が貸球操作を左指によりすることができる。これによって、右手でハンドルを掴んで遊戯している遊技者は、左指により貸球操作部５０の貸球操作できるために、遊技を中断することなく貸球の供給を受けることが可能になる。また、貸球操作部を受皿扉に設けている従来のパチンコ機に比べて、貸球操作部５０の電気的な配線を簡単にすることが可能になる。
【００２２】
遊技盤２０の前面には、図２に示すように、遊技盤２０の前面を覆う略方形の前扉３が前面枠２の左側部に設けた前扉ヒンジ３１、３１により開閉可能に取付けられている。この前扉３は遊技領域２２に対応する部位にガラスなどの透明板が嵌められている。
【００２３】
遊技盤２０の前面には、図２に示すように、遊技盤２０の前面を覆う前扉３が前面枠２の側部に設けた前扉ヒンジ３１、３１により開閉可能に取付けられている。この前扉３は遊技領域２２に対応する部位にガラスなどの透明板が嵌められている。なお、前扉３は遊技盤２０を覆っていて、その下端縁は左側パネル２４と右側パネル２６の内側に沿った形状とされていて、方形から切欠したように左右が下膨らみの円弧状に形成され、また、横幅の中央約三分の一の箇所では、その下端縁が腰板パネル３０の上縁前面に沿って直線的に形成されている。
【００２４】
また、図３に示すように、前扉３の下方に腰板パネル３０を覆う方形の受皿扉４が受皿扉ヒンジ４０により開閉可能に取付けられて、この二枚の扉により、前面枠２の遊技領域２２と腰板パネル３０を覆っている。なお、受皿扉４の中央上縁は、前扉３の中央下端縁によって覆い被され、前扉３を開放した上で受皿扉４を開放可能とされている。
【００２５】
この受皿扉４には、前方に膨出してパチンコ球を貯留する球受皿４１が一体成形により設けられている。また、受皿扉４の上端縁は、前扉３の下端縁と重なって取付けられ、前扉３の下端縁に沿った形状とされている（図２参照）。
【００２６】
以上説明したように、この発明の実施の形態では、従来方形の前扉であったのに対して、前扉３の下方に左側パネル２４と右側パネル２６を設けていることによって、その左右が下膨らみの円弧状に形成されて、斬新な意匠感を提供している。また、これらのパネル２４，２６に電飾が施されていて、さらに斬新な意匠感を提供している。
【００２７】
また、左側パネル２４に球貸操作部５０を設けているために、貸球操作部を受皿扉に設けている従来のパチンコ機に比べて、電気的な配線を簡単にすることができるばかりでなく、遊技者が遊技を中断することなく、貸球操作できる。
なお、特に、受皿扉４より上方位置である左側パネル２４に設けたことによって、遊技者の目の位置に近くなってボタンの確認を容易にでき、誤操作が少なくなる。
【００２８】
なお、この実施の形態では、左側パネル２４と右側パネル２６のパネルを左右に設けた例を示しているが、いずれか一方のみにパネルを設けてもよく、また、必ずしも、左側パネル２４に球貸操作部５０を設けなくても実施することができる。特に、右側パネル２６に貸球操作部を設けてもよく、この場合には、遊技者の目の位置に近くなってボタンの確認を容易にでき、誤操作が少なくなる。
また、この実施の形態では、左側パネル２４を前扉３の下端位置に設けた例を示しているが、前扉３の中間位置の左端に設けて、前扉３をループ状に切欠して実施することもできる。
【図面の簡単な説明】
【図１】実施例１の遊技島に設置されたパチンコ機の正面図
【図２】前扉および受皿扉を開いた状態の正面図
【図３】前扉を開いた状態の正面図平面図
【図４】左側パネルを示す一部の斜視図
【図５】左側パネルの裏面を示す斜視図
【図６】従来のパチンコ機を示す斜視図
【符号の説明】
２…前面枠
３…前扉
４…受皿扉
２４…左側パネル
２６…右側パネル
４１…球受皿
５０…球貸操作部
１０１…球貸機
【図１】
2004313567.tif 000003
【図２】
2004313567.tif 000004
【図３】
2004313567.tif 000005
【図４】
2004313567.tif 000006
【図５】
2004313567.tif 000007
【図６】
2004313567.tif 000008